(57)【要約】      （修正有）【課題】ガラス製、又は表面が鏡面となっていることで、魚類から見えない、又は少なくとも見え難い釣り針を提供する。【解決手段】チモト１１から針先部１５までの全長さに亘ってガラス製（強化ガラス、サファイアガラス又は硬質ガラスであることが好ましい。）である釣り針であり、また、少なくとも腰曲げ部１３、先曲げ部１４及び針先部１５に棒状又は線状の金属製強化材２が埋入されている。更に、胴部に発光体皮膜を有し、発光体が埋入されていてもよい。また、ガラスの表面に設けられた金属薄膜、及び金属薄膜の表面に設けられたガラスコーティング層又は透光性を有する樹脂層を備たことを特徴とする。【選択図】図５
0003186779.tif 000002
【実用新案登録請求の範囲】
【請求項１】
チモト、胴部、腰曲げ部、先曲げ部及び針先部をこの順に有し、前記チモトから前記針先部までの全長さに亘ってガラス製であることを特徴とする釣り針。
【請求項２】
前記ガラスが、強化ガラス、サファイアガラス又は硬質ガラスである請求項１に記載の釣り針。
【請求項３】
少なくとも前記腰曲げ部、前記先曲げ部及び前記針先部に棒状又は線状の金属製強化材が埋入されている請求項１又は２に記載の釣り針。
【請求項４】
前記胴部の表面に発光体皮膜を有する、又は前記胴部に発光体が埋入されている請求項１乃至３のうちのいずれか１項に記載の釣り針。
【請求項５】
前記ガラスの表面に設けられた金属薄膜、及び前記金属薄膜の表面に設けられたガラスコーティング層又は透光性を有する樹脂層を備える請求項３に記載の釣り針。
【請求項６】
前記金属薄膜を構成する金属が銀又はアルミニウムである請求項５に記載の釣り針。
【請求項７】
前記樹脂層を構成する樹脂がポリエステル樹脂、ポリカーボネート樹脂又はアクリル樹脂である請求項５又は６に記載の釣り針。
【請求項８】
前記ガラスコーティング層又は透光性を有する樹脂層の、前記胴部に対応する部位の表面に発光体皮膜を有する請求項５乃至７のうちのいずれか１項に記載の釣り針。
【請求項９】
チモト、胴部、腰曲げ部及び先曲げ部をこの順に有するガラス製の基体と、
少なくとも前記腰曲げ部及び前記先曲げ部に埋入された棒状又は線状の金属製強化材と、
前記先曲げ部に埋入された前記金属製棒状強化材の先端部に設けられた針先部と、を備えることを特徴とする釣り針。
【請求項１０】
前記ガラスが、強化ガラス、サファイアガラス又は硬質ガラスである請求項９に記載の釣り針。
【請求項１１】
前記胴部の表面に発光体皮膜を有する、又は前記胴部に発光体が埋入されている請求項９又は１０に記載の釣り針。
【請求項１２】
少なくとも前記基体の表面に設けられた金属薄膜、及び前記金属薄膜の表面に設けられたガラスコーティング層又は透光性を有する樹脂層を備える請求項９又は１０に記載の釣り針。
【請求項１３】
前記金属薄膜を構成する金属が銀又はアルミニウムである請求項１２に記載の釣り針。
【請求項１４】
前記樹脂層を構成する樹脂がポリエステル樹脂、ポリカーボネート樹脂又はアクリル樹脂である請求項１２又は１３に記載の釣り針。
【請求項１５】
前記ガラスコーティング層又は透光性を有する樹脂層の、前記胴部に対応する部位の表面に発光体皮膜を有する請求項１２乃至１４のうちのいずれか１項に記載の釣り針。
【請求項１６】
前記胴部、前記腰曲げ部及び前記先曲げ部の各々の側面が平坦面である請求項５乃至１５のうちのいずれか１項に記載の釣り針。
【請求項１７】
前記胴部、前記腰曲げ部及び前記先曲げ部の各々の背面及び腹面が平坦面である請求項５乃至１５のうちのいずれか１項に記載の釣り針。
【請求項１８】
腰曲げ部及び先曲げ部の各々の断面積が、胴部の断面積の１．５〜３．０倍である請求項１乃至１７のうちのいずれか１項に記載の釣り針。
【請求項１９】
チモト、胴部、腰曲げ部、先曲げ部及び針先部をこの順に有し、前記チモトから前記針先部までの全長さに亘って金属製である基体と、
前記基体の、少なくとも前記胴部、前記腰曲げ部及び前記先曲げ部の各々の表面に設けられた金属薄膜と、
前記金属薄膜の表面に設けられたガラスコーティング層又は透光性を有する樹脂層と、を備えることを特徴とする釣り針。
【請求項２０】
前記金属薄膜を構成する金属が銀又はアルミニウムである請求項１９に記載の釣り針。
【請求項２１】
前記樹脂層を構成する樹脂がポリエステル樹脂、ポリカーボネート樹脂又はアクリル樹脂である請求項１９又は２０に記載の釣り針。
【請求項２２】
前記ガラスコーティング層又は前記透光性を有する樹脂層の表面のうちの、前記胴部に対応する部位に発光体皮膜を有する請求項１９乃至２１のうちのいずれか１項に記載の釣り針。
【請求項２３】
前記胴部、前記腰曲げ部及び前記先曲げ部の各々の側面が平坦面である請求項１９乃至２２のうちのいずれか１項に記載の釣り針。
【請求項２４】
前記胴部、前記腰曲げ部及び前記先曲げ部の各々の背面及び腹面が平坦面である請求項１９乃至２２のうちのいずれか１項に記載の釣り針。
【考案の詳細な説明】
【技術分野】
【０００１】
本考案は釣り針に関する。更に詳しくは、本考案は、ガラス製、又は表面が鏡面となっていることで、魚類から見えない、又は少なくとも見え難い釣り針に関する。
【背景技術】
【０００２】
従来、釣り針は高炭素鋼、ステンレス鋼等の金属を用いて製造されている。また、通常、表面に金属メッキ又は焼付け塗装が施され、特定の色調を有している。しかし、通常の釣り針は、色調、形状ともに餌とは明らかに異なっている。そのため、視力はよくないとされている魚類が見ても、餌とは異なる異物と認識され、本能的に警戒心を懐かせることになる。
【０００３】
そこで、釣り針本体の表面にパープル系、ピンク系等の色相に彩色された彩色相を設けた釣り針が提案されている（例えば、特許文献１参照。）。この釣り針では、釣り針の一部が露出しても餌と釣り針とが見分け難く、釣果が落ちることがない。更に、釣り針本体と、その表面に形成された被覆相と、被覆相中及び／又はその表面に存在する光透過散乱材とで構成された釣り針も知られている（例えば、特許文献２参照。）。この釣り針では、水中や海中でキラキラと光って魚類の注意を引き、餌と間違えて食いつくことがある。
【先行技術文献】
【特許文献】
【０００４】
【特許文献１】登録実用新案第３０１８０５２号公報
【特許文献２】特開平８−８９１３５号公報
【考案の概要】
【考案が解決しようとする課題】
【０００５】
引用文献１に記載された釣り針では、その一部が露出しても餌との見分けがし難く、釣果が落ちることがないかもしれない。しかし、この釣り針では、露出した釣り針は魚類から見えており、警戒心を懐かせることもある。また、引用文献２に記載された釣り針では、キラキラと光って魚類の注意を引き、餌と間違えて食いつくことを目的としている。しかし、この釣り針では、異物と認識され、警戒心を懐かせることもある。
【０００６】
本考案は、上述の従来の状況に鑑みてなされたものであり、ガラス製、又は表面が鏡面となっていることで、魚類から見えない、又は少なくとも見え難い釣り針を提供することを課題とする。
【課題を解決するための手段】
【０００７】
本考案は以下のとおりである。
１．チモト、胴部、腰曲げ部、先曲げ部及び針先部をこの順に有し、前記チモトから前記針先部までの全長さに亘ってガラス製であることを特徴とする釣り針。
２．前記ガラスが、強化ガラス、サファイアガラス又は硬質ガラスである前記１．に記載の釣り針。
３．少なくとも前記腰曲げ部、前記先曲げ部及び前記針先部に棒状又は線状の金属製強化材が埋入されている前記１．又は２．に記載の釣り針。
４．前記胴部の表面に発光体皮膜を有する、又は前記胴部に発光体が埋入されている前記１．乃至３．のうちのいずれか１項に記載の釣り針。
５．前記ガラスの表面に設けられた金属薄膜、及び前記金属薄膜の表面に設けられたガラスコーティング層又は透光性を有する樹脂層を備える前記３．に記載の釣り針。
６．前記金属薄膜を構成する金属が銀又はアルミニウムである前記５．に記載の釣り針。
７．前記樹脂層を構成する樹脂がポリエステル樹脂、ポリカーボネート樹脂又はアクリル樹脂である前記５．又は６．に記載の釣り針。
８．前記ガラスコーティング層又は透光性を有する樹脂層の、前記胴部に対応する部位の表面に発光体皮膜を有する前記５．乃至７．のうちのいずれか１項に記載の釣り針。
９．チモト、胴部、腰曲げ部及び先曲げ部をこの順に有するガラス製の基体と、
少なくとも前記腰曲げ部及び前記先曲げ部に埋入された棒状又は線状の金属製強化材と、
前記先曲げ部に埋入された前記金属製棒状強化材の先端部に設けられた針先部と、を備えることを特徴とする釣り針。
１０．前記ガラスが、強化ガラス、サファイアガラス又は硬質ガラスである前記９．に記載の釣り針。
１１．前記胴部の表面に発光体皮膜を有する、又は前記胴部に発光体が埋入されている前記９．又は１０．に記載の釣り針。
１２．少なくとも前記基体の表面に設けられた金属薄膜、及び前記金属薄膜の表面に設けられたガラスコーティング層又は透光性を有する樹脂層を備える前記９．又は１０．に記載の釣り針。
１３．前記金属薄膜を構成する金属が銀又はアルミニウムである前記１２．に記載の釣り針。
１４．前記樹脂層を構成する樹脂がポリエステル樹脂、ポリカーボネート樹脂又はアクリル樹脂である前記１２．又は１３．に記載の釣り針。
１５．前記ガラスコーティング層又は透光性を有する樹脂層の、前記胴部に対応する部位の表面に発光体皮膜を有する前記１２．乃至１４．のうちのいずれか１項に記載の釣り針。
１６．前記胴部、前記腰曲げ部及び前記先曲げ部の各々の側面が平坦面である前記５．乃至１５．のうちのいずれか１項に記載の釣り針。
１７．前記胴部、前記腰曲げ部及び前記先曲げ部の各々の背面及び腹面が平坦面である前記５．乃至１５．のうちのいずれか１項に記載の釣り針。
１８．腰曲げ部及び先曲げ部の各々の断面積が、胴部の断面積の１．５〜３．０倍である前記１．乃至１７．のうちのいずれか１項に記載の釣り針。
１９．チモト、胴部、腰曲げ部、先曲げ部及び針先部をこの順に有し、前記チモトから前記針先部までの全長さに亘って金属製である基体と、
前記基体の、少なくとも前記胴部、前記腰曲げ部及び前記先曲げ部の各々の表面に設けられた金属薄膜と、
前記金属薄膜の表面に設けられたガラスコーティング層又は透光性を有する樹脂層と、を備えることを特徴とする釣り針。
２０．前記金属薄膜を構成する金属が銀又はアルミニウムである前記１９．に記載の釣り針。
２１．前記樹脂層を構成する樹脂がポリエステル樹脂、ポリカーボネート樹脂又はアクリル樹脂である前記１９．又は２０．に記載の釣り針。
２２．前記ガラスコーティング層又は前記透光性を有する樹脂層の表面のうちの、前記胴部に対応する部位に発光体皮膜を有する前記１９．乃至２１．のうちのいずれか１項に記載の釣り針。
２３．前記胴部、前記腰曲げ部及び前記先曲げ部の各々の側面が平坦面である前記１９．乃至２２．のうちのいずれか１項に記載の釣り針。
２４．前記胴部、前記腰曲げ部及び前記先曲げ部の各々の背面及び腹面が平坦面である前記１９．乃至２２．のうちのいずれか１項に記載の釣り針。
【考案の効果】
【０００８】
ガラス製である本考案の釣り針によれば、視力がよくない魚類には釣り針は見えず、餌のみが見えるため、何ら警戒心を懐くことなく摂餌する。従って、釣果を高めることができる。
また、少なくとも腰曲げ部、先曲げ部及び針先部に棒状又は線状の金属製強化材が埋入されている場合は、ガラスのみのときと比べれば、魚類から見え易くなるかもしれない。しかし、ガラス表面での光の反射もあって、少なくとも魚類からは見え難い。更に、魚類が食いついて、引っ張りたりしたときに特に大きな応力が加わり易い部位が強化されるため、折損、変形等が抑えられる釣り針とすることができる。
更に、ガラスの表面に設けられた金属薄膜、及び金属薄膜の表面に設けられたガラスコーティング層又は透光性を有する樹脂層を備える場合は、釣り針の周面が鏡面となる。しかし、釣り針の横断面は、通常、略円形又はそれに近似の形状であるため、視力がよくない魚類には、周囲の水と釣り針との境界を明確に見分けることは難しく、釣果が落ちることはない。
【０００９】
針先部が棒状又は線状の金属製強化材の先端部に設けられている他の本考案の釣り針によれば、腰曲げ部、先曲げ部の強化に加えて、特に針先部が十分に強化され、折損、変形等がより抑えられる釣り針とすることができる。また、針先部が金属製であるため、餌の取り付けがし易くなる。更に、針先部を餌によって覆うようにすれば、釣り針全体が、より異物とは見え難くなり、釣果が落ちることがない。
また、少なくとも基体の表面に設けられた金属薄膜、及び金属薄膜の表面に設けられたガラスコーティング層又は透光性を有する樹脂層を備える場合は、少なくとも基体は鏡面となるが、釣り針の横断面は、通常、略円形又はそれに近似の形状であるため、視力がよくない魚類には、周囲の水と釣り針との境界を明確に見分けることは難しく、釣果が落ちることはない。
【００１０】
更に、本考案の釣り針において、胴部の表面に発光体皮膜を有する、又は胴部に発光体が埋入されている場合、及び他の本考案の釣り針において、ガラスコーティング層又は透光性を有する樹脂層の、胴部に対応する部位の表面に発光体皮膜を有する場合は、魚類が光に興味を懐き、集魚することができるとともに、光に興味は懐くものの、全体として釣り針とは視認し難く、釣果を高めることもできる。
【００１１】
また、本考案の釣り針及び他の本考案の釣り針において、ガラスが、強化ガラス、サファイアガラス又は硬質ガラスである場合は、通常のケイ酸塩ガラスに比べて、特に強化ガラスでは強度が大きく、サファイアガラス及び硬質ガラスでは硬度が高い。そのため、欠損、折損し難く、岩等と接触しても傷付き難い釣り針とすることができる。
更に、金属薄膜を構成する金属が銀又はアルミニウムである場合は、濁りのない、より明瞭な鏡面が形成される。そのため、視力がよくない魚類には、明確に餌と異なる異物とは見え難く、釣果が落ちることがない。
また、樹脂層を構成する樹脂がポリエステル樹脂、ポリカーボネート樹脂又はアクリル樹脂である場合は、これらの樹脂が極めて優れた透光性を有し、透明性が高いため、ガラスを用いたときと遜色のない鏡面を形成することができる。そのため、視力がよくない魚類には、明確に餌と異なる異物とは見え難く、釣果が落ちることがない。
更に、腰曲げ部及び先曲げ部の各々の断面積が、胴部の断面積の１．５〜３．０倍である場合は、魚類が食いついたときに特に大きな応力が加わり易い部位が強化されるため、折損等が抑えられる釣り針とすることができる。
【００１２】
金属からなる基体を備える更に他の本考案の釣り針によれば、基体が金属製であるため、胴部から針先部までの全長さに渡って強度面では全く問題がない。また、表面に容易に鏡面を形成することができ、視力がよくない魚類には、明確に餌と異なる異物とは見え難く、釣果が落ちることがない。
また、鏡面は針先部を除く他部に形成されていてもよく、全面に形成されていてもよい。針先部が金属製の基体のままであるときは、餌の取り付けが容易となり、針先部を餌によって覆うようにすれば、釣り針全体が、より異物とは見え難くなり、釣果が落ちることがない。
更に、ガラスコーティング層又は透光性を有する樹脂層の、胴部に対応する部位の表面に発光体皮膜を有する場合は、魚類が光に興味を懐き、集魚することができるとともに、光に興味は懐くものの、全体として釣り針とは視認し難く、釣果を高めることもできる。
尚、更に他の本考案の釣り針において、金属薄膜を構成する金属が銀又はアルミニウムである場合、及び樹脂層を構成する樹脂がポリエステル樹脂、ポリカーボネート樹脂又はアクリル樹脂である場合は、本考案の釣り針及び他の本考案の釣り針のときと同様の作用効果が奏される。
【００１３】
また、鏡面が形成された本考案の釣り針、他の本考案の釣り針、及び更に他の本考案の釣り針において、胴部、腰曲げ部及び先曲げ部の各々の側面が平坦面である場合、魚類を釣り上げるときに大きな応力が加わる方向の強度が大きくなり、変形し難い釣り針とすることができる。また、側面が平坦面であるとき、及び胴部、腰曲げ部及び先曲げ部の各々の背面及び腹面が平坦面である場合は、魚類が平坦面側から見たとき、自らの口先近傍及び背景の一部が見えるかもしれないが、釣り針が明確に異物として認識されることはなく、釣果が落ちることはない。一方、平坦面を指で挟んで持つことができ、餌の取り付け等がし易いという利点がある。
【図面の簡単な説明】
【００１４】
【図１】ガラス製であり、かえしを有する釣り針の側面図である。
【図２】図１の釣り針の胴部に発光体皮膜を有する釣り針の側面図である。
【図３】図１の釣り針の胴部に発光体が埋入された釣り針のチモト及び胴部を拡大した断面図である。
【図４】ガラス製であり、かえしのない釣り針の側面図である。
【図５】腰曲げ部、先曲げ部及び針先部に棒状又は線状の金属製強化材が埋入されている釣り針の断面図である。
【図６】図５の釣り針の胴部に発光体皮膜を有する釣り針の側面図である。
【図７】胴部から針先部に亘って棒状又は線状の金属製強化材が埋入されている釣り針の断面図である。
【図８】図７の釣り針の針先部を除く他部の表面に金属薄膜とガラスコーティング層又は樹脂層とが設けられた釣り針の断面図である。
【図９】図７の釣り針の全表面に金属薄膜とガラスコーティング層又は樹脂層とが設けられた釣り針の断面図である。
【図１０】腰曲げ部と先曲げ部に棒状又は線状の金属製強化材が埋入され、且つ針先部が先曲げ部に埋入された金属製強化材の先端部に設けられた釣り針の断面図である。
【図１１】胴部から先曲げ部に亘って棒状又は線状の金属製強化材が埋入され、且つ針先部が先曲げ部に埋入された金属製強化材の先端部に設けられた釣り針の断面図である。
【図１２】図１１の釣り針の針先部を除く他部の表面に金属薄膜とガラスコーティング層又は樹脂層とが設けられた釣り針の断面図である。
【図１３】図１１の釣り針の全表面に金属薄膜とガラスコーティング層又は樹脂層とが設けられた釣り針の断面図である。
【図１４】腰曲げ部及び先曲げ部の断面積が、胴部の断面積より大きいガラス製の釣り針の側面図である。
【図１５】図９のＡ−Ａ断面が略円形の釣り針の横断面を表す断面図である。
【図１６】図９のＡ−Ａ断面であり、側面が平坦面である釣り針の横断面を表す断面図である。
【図１７】図９のＡ−Ａ断面であり、背面及び腹面が平坦面である釣り針の横断面を表す断面図である。
【図１８】金属製基体の釣り針の針先部を除く他部の表面に、金属薄膜とガラスコーティング層又は樹脂層とが設けられた釣り針の断面図である。
【図１９】金属製基体の全表面に、金属薄膜とガラスコーティング層又は樹脂層とが設けられた釣り針の断面図である。
【図２０】図１９のＢ−Ｂ断面が略円形の釣り針の横断面を表す断面図である。
【図２１】図１９のＢ−Ｂ断面であり、側面が平坦面である釣り針の横断面を表す断面図である。
【図２２】図１９のＢ−Ｂ断面であり、背面及び腹面が平坦面である釣り針の横断面を表す断面図である。
【考案を実施するための形態】
【００１５】
本考案の釣り針［図１の釣り針（１００）、図４の釣り針（１０１）参照］は、チモト（１１）、胴部（１２）、腰曲げ部（１３）、先曲げ部（１４）及び針先部（１５）をこの順に有し、チモト（１１）から針先部（１５）までの全長さに亘ってガラス製である。ガラスの種類は特に限定されない。例えば、通常のケイ酸塩ガラスを用いることができる。しかし、釣り針は円弧状部を多く有するととともに、胴部（１２）から針先部（１５）までの全長さに渡って径が小さい。そのため、ケイ酸塩ガラスでは、魚類が食いつき、引っ張ったりしたときに、特に、腰曲げ部（１３）、先曲げ部（１４）及び針先部（１５）等において折損するおそれがある。従って、強度の大きい強化ガラス、硬度の高いサファイアガラス又は硬質ガラス等を用いることが好ましい。強化ガラスを用いたときは、特に強度が大きくなって変形し難くなり、サファイアガラス又は硬質ガラスを用いたときは、水中で岩等と接触したときに表面が傷付き難い。
【００１６】
また、釣り方及び狙いとする魚類等によって、図１の釣り針（１００）のように、かえし（１６）を有していてもよく、図４の釣り針（１０１）のように、かえし（１６）を有していなくてもよい。更に、釣り針（１００）、（１０１）の横断面の形状は、通常、略円形、略楕円形、又は両側面若しくは背部と腹部とに平坦面を有する形状とすることができる。釣り針（１００）、（１０１）では、全体がガラス製であるため、横断面は、両側面が略平坦面となった楕円形に近似の形状であることが、強度の観点で好ましい。このような形状であれば、魚類が食いついて引っ張ったりしたときに応力が加わる方向の強度が大きく、変形し難い釣り針（１００）、（１０１）とすることができる。
【００１７】
釣り針（１００）、（１０１）の製造方法は特に限定されない。例えば、それぞれの形状のキャビティが形成される凹部を有する上型と下型とを用いるプレス成形法により製造することができる。具体的には、溶融したガラスを下型の凹部に注入し、その後、上型により押圧し、次いで、冷却し、脱型することにより製造することができる。型の内部には、通常、媒体の流路が設けられており、この流路に水等の冷媒を流通させることにより冷却することができる。
【００１８】
釣り針が透明であり、魚類から見えない、又は少なくとも見え難いという観点では、釣り針（１００）、（１０１）のように、ガラスのみからなることが好ましい。しかし、魚類が食いついて引っ張ったりしたときに、特に円弧状の腰曲げ部（１３）、先曲げ部（１４）、及び針先部（１５）において折損するおそれがある。そのため、少なくとも腰曲げ部（１３）、先曲げ部（１４）及び針先部（１５）に棒状又は線状の金属製強化材（２）が埋入されていることが好ましい［図５の釣り針（１０２）、図７の釣り針（１０３）参照］。
【００１９】
図５の釣り針（１０２）のように、腰曲げ部（１３）、先曲げ部（１４）及び針先部（１５）の各々の一部に棒状又は線状の金属製強化材（２）が埋入されておれば、魚類から見えない、又は少なくとも見え難いという観点で好ましい。一方、図７の釣り針（１０３）のように、胴部（１２）から針先部（１５）までの全長さに亘って棒状又は線状の金属製強化材（２）が埋入されておれば、強度の観点で好ましい。尚、金属製強化材（２）が棒状であるか線状であるかは、釣り針の寸法による。即ち、寸法の大きい大径の釣り針であれば棒状の金属製強化材（２）とし、寸法の小さい小径の釣り針であれば線状の金属製強化材（２）とすることができる。
【００２０】
棒状又は線状の金属製強化材（２）の材質は特に限定されないが、強化材として十分に機能する強度が大きい金属を用いることが好ましい。この金属としては、高炭素鋼、ステンレス鋼等の、通常、釣り針の製造に用いられる金属等を使用することができる。また、棒状又は線状の金属製強化材（２）の横断面の形状も特に限定されず、円形、楕円形、及び三角形、四角形等の多角形とすることができ、円形、楕円形であることが好ましい。更に、横断面の形状が、両側面が略平坦面となった楕円形に近似の形状である棒状又は線状の金属製強化材（２）がより好ましい。そして、このような形状の棒状又は線状の金属製強化材（２）が、魚類が食いついて引っ張ったりしたときに応力が加わる方向が長径方向となるように埋入されていることが、強度の観点で特に好ましい（図１５〜１７参照）。
【００２１】
また、棒状又は線状の金属製強化材（２）は、釣り針（１０２）、（１０３）の径方向の中央部に埋入されていることが好ましい。このようにすれば、魚類から見えない、又は少なくとも見え難いという観点で好ましい。更に、棒状又は線状の金属製強化材（２）が埋入された釣り針（１０２）、（１０３）は、前述のプレス成形時に、下型に注入されたガラスの径方向の中央部に棒状又は線状の金属製強化材（２）を配置させて製造することができる。
【００２２】
棒状又は線状の金属製強化材（２）が埋入された釣り針（１０２）、（１０３）の横断面の形状は、ガラスのみからなる釣り針（１００）、（１０１）と同様とすることができ、通常、略円形、略楕円形、又は両側面若しくは背部と腹部とに平坦面を有する形状とすることができる。また、埋入された棒状又は線状の金属製強化材（２）により強化されてはいるが、主体はガラスであるため、横断面は、両側面が略平坦面となった楕円形に近似の形状であることが、強度の観点で好ましい。このような形状であれば、魚類が食いついて引っ張ったりしたときに応力が加わる方向の強度が大きく、変形し難い釣り針（１０２）、（１０３）とすることができる。
【００２３】
更に、釣り針（１００）、（１０１）では、胴部（１２）に発光体皮膜（６１）を形成することができる［図２の発光体皮膜（６１）を有する釣り針（１００Ａ）参照］。更に、胴部（１２）に発光体（６２）を埋入することもできる［図３の発光体（６２）が埋入された釣り針（１００）の胴部（１２）の拡大図参照］。特に深海における大型の魚類を釣るとき、又は中型の魚類を釣るときは、釣り針（１００）、（１０１）の寸法も大きく、胴部（１２）に発光体皮膜（６１）が形成される、又は胴部（１２）に発光体（６２）が埋入されることが多い。このように、発光体皮膜（６１）を形成する、又は発光体（６２）を埋入することで、特に深海の暗闇において発光するため、魚類が興味を懐き、集魚することができる。また、光に興味は懐くものの、全体として釣り針とは視認し難く、釣果を高めることもできる。
【００２４】
発光体皮膜（６１）は、蓄光顔料を含有する塗料を塗布し、乾燥させる方法等により形成することができる。発光体（６２）は、蓄光顔料を含有する成形体を乾燥、固化される等の方法で形成したものを、釣り針（１００）、（１０１）を製造する工程で埋入させることができる。蓄光顔料は特に限定されず、種々の蓄光顔料を用いることができる。更に、粒子表面をガラス又は高分子樹脂の被膜でコーティングした蓄光顔料は耐水性が高く、釣り針に用いる蓄光顔料として特に好ましい。
【００２５】
また、釣り針（１０２）、（１０３）でも、釣り針（１００）、（１０１）と同様に、胴部（１２）に発光体皮膜（６１）を形成することができる［図６の発光体皮膜（６１）を有する釣り針（１０２Ａ）参照］。更に、胴部（１２）に棒状又は線状の金属製強化材（２）が埋入されていないときは、胴部（１２）に発光体（６２）を埋入することもできる。この場合、胴部（１２）に発光体皮膜（６１）が形成された図２の釣り針（１００Ａ）、及び図３のように胴部（１２）に発光体（６２）が埋入された釣り針のときと同様の作用効果が奏される。また、発光体皮膜（６１）及び発光体（６２）の材質、形成方法については、釣り針（１００Ａ）及び図３の釣り針における記載をそのまま適用することができる。
【００２６】
ガラスを基体とし、且つ棒状又は線状の金属製強化材（２）が埋入された釣り針（１０２）、（１０３）の表面には、金属薄膜（３）を設けるとともに、この金属薄膜（３）の表面にガラスコーティング層又は透光性を有する樹脂層（４）を設けることができる。これにより、釣り針（１０２）、（１０３）の表面には、鏡面が形成される［図８の釣り針（１０４）、図９の釣り針（１０５）参照］。また、鏡面は、図８の釣り針（１０４）のように、針先部（１５）を除く他部の表面に形成されていてもよく、図９の釣り針（１０５）のように、チモト（１１）も含めて全表面に形成されていてもよい。針先部（１５）は、餌により覆われてしまうことが多く、この部分のみ鏡面が形成されていなくても特に問題にはならない。
【００２７】
金属薄膜（３）を設けるのに用いられる金属は特に限定されない。この金属としては、可視光線の反射率が高い金属が好ましく、反射率が最大である銀の他、アルミニウム、クロム等を用いることができる。例えば、銀の場合、釣り針（１０２）、（１０３）の表面に、銀の溶液と還元液とを同時に吹き付け、銀からなる薄膜を形成することができる。一方、アルミニウム等の場合、真空蒸着などの物理蒸着により、アルミニウム等からなる薄膜を形成することができる。金属薄膜（３）の厚さは特に限定されず、数十ｎｍとすることができる。更に、酸化等され易い銀の場合、発錆を防止するため、表面に厚さ５０μｍ程度の有機防錆塗料からなる皮膜を形成してもよい。
【００２８】
また、金属薄膜（３）の表面にガラスコーティング層又は透光性を有する樹脂層（４）を設けることで、鏡面が形成される。より優れた鏡面を形成するためには、ガラスコーティング層（４）が好ましいが、透光性を有する樹脂層（４）であってもよい。また、魚類は水中で鏡面を見ることになるが、水と鏡面との境界を明確に視認することはできず、明らかに異物が存在するとは認識され難く、釣果が落ちることはない。
【００２９】
ガラスコーティング層（４）を設ける方法は特に限定されない。例えば、金属薄膜（３）の表面に、粉末ガラス質の酸化物質を所定厚さとなるように塗布し、その後、加熱し、溶融させて酸化物層、即ち、ガラスコーティング層（４）を形成することができる。ガラスコーティング層（４）の厚さは特に限定されないが、見栄えのよい鏡面を形成するためには厚くすることが好ましい。しかし、寸法の小さい釣り針（１０４）、（１０５）では、厚くすることは容易ではない。従って、ガラスコーティング層（４）の厚さは、釣り針（１０４）、（１０５）の寸法も勘案し、５０〜１０００μｍとすることができる。また、釣り針（１０２）、（１０３）の寸法がより大きいときは、１０００μｍを超えて（通常、３０００μｍ以下）厚くすることもできる。
【００３０】
更に、透光性を有する樹脂層（４）を設ける方法も特に限定されない。例えば、鏡面を形成することができる透光性を有する樹脂を用いてなる所定厚さのフィルムを、金属薄膜（３）の表面に融着させて樹脂層（４）を設けることができる。より具体的には、金属薄膜（３）が設けられた釣り針を、好ましくは樹脂の融点を超える温度にまで加熱し、この加熱面にテープ状等の樹脂フィルムを巻き付け、更に加熱して樹脂フィルムを溶融させ、その後、冷却し、固化させて、樹脂層（４）を設けることができる。また、釣り針の熱容量は小さいため、釣り針の加熱を継続しながら、樹脂フィルムを巻き付け、必要に応じて更に加熱して融着させることもできる。
【００３１】
樹脂は特に限定されず、ポリエチレンテレフタレート、ポリエチレンナフタレート等のポリエステル樹脂、ポリカーボネート樹脂、ポリメチルメタクリレート等のアクリル樹脂などの、優れた透光性を有する樹脂を用いることができる。この他、ポリフェニレンスルフィド、ポリスルフォン、ポリエチリデンノルボルネン等を用いることもできる。また、樹脂層（４）の厚さは特に限定されないが、ＪＩＳ  Ｋ  ７１０５に準拠して測定した可視光線の全光線透過率が６０〜９０％、特に７５〜９９％となる厚さであることが好ましい。
全光線透過率（％）＝（樹脂フィルムを透過した光量／樹脂フィルムに入射した光量）×１００
【００３２】
更に、釣り針（１０４）、（１０５）でも、ガラスコーティング層又は樹脂層（４）の、胴部（１２）に対応する部位の表面に、釣り針（１００Ａ）、（１０２Ａ）と同様に、発光体皮膜（６１）を形成することができ、これにより同様の作用効果が奏される。この発光体皮膜（６１）の材質、形成方法については、釣り針（１００Ａ）、（１０２Ａ）における記載をそのまま適用することができる。
【００３３】
他の本考案の釣り針では、先曲げ部（１４）に埋入された棒状又は線状の金属製強化材（２）の先端部に針先部（１５）が設けられている［図１０の釣り針（１０６）、図１１の釣り針（１０７）参照］。この場合、針先部（１５）は、埋入された棒状又は線状の金属製強化材（２）と一体に成形され、設けられていてもよく、棒状又は線状の金属製強化材（２）の先端部に溶接等によって連設されていてもよい。このように棒状又は線状の金属製強化材（２）の先端部に針先部（１５）が設けられておれば、特に針先部（１５）が埋入された棒状又は線状の金属製強化材（２）と一体に成形され、設けられておれば、釣り針（１０６）、（１０７）全体の強度を高めることができるとともに、特に針先部（１５）の強度を大きくすることができる。更に、針先部（１５）の材質は特に限定されないが、棒状又は線状の金属製強化材（２）と同様に、高炭素鋼、ステンレス鋼等であることが好ましい。また、他の本考案の釣り針では、針先部（１５）が金属製であるため、餌が取り付け易いという利点もある。更に、針先部（１５）は、通常、餌によって覆われることが多いため、釣果が落ちることもない。
【００３４】
他の本考案の釣り針（１０６）、（１０７）において、基体を構成するガラスは特に限定されない。このガラスとしては、強度の大きい強化ガラス、硬度の高いサファイアガラス又は硬質ガラス等を用いることが好ましく、この場合、前述の本考案の釣り針（１００）、（１０１）のときと同様の作用効果が奏される。更に、他の本考案の釣り針（１０６）、（１０７）において、棒状又は線状の金属製強化材（２）の材質、横断面の形状、及び埋入方法等については、前述の本考案の釣り針（１０２）、（１０３）における記載をそのまま適用することができる。
【００３５】
また、胴部（１２）に棒状又は線状の金属製強化材（２）が埋入されていない釣り針（１０６）では、釣り針（１００Ａ）、（１０２Ａ）と同様に、胴部（１２）に発光体皮膜（６１）を形成することができる。また、図３の釣り針と同様に、胴部（１２）に発光体（６２）を埋入することもできる。更に、胴部（１２）から先曲げ部（１４）に亘って棒状又は線状の金属製強化材（２）が埋入されている釣り針（１０７）では、釣り針（１００Ａ）、（１０２Ａ）と同様に、胴部（１２）に発光体皮膜（６１）を形成することができる。この場合、前述の釣り針１００Ａ、１０２Ａ及び図３の釣り針のように胴部（１２）に発光体皮膜（６１）が形成された釣り針、又は発光体（６２）が埋入された釣り針のときと同様の作用効果が奏される。この発光体皮膜（６１）及び発光体（６２）の材質、形成方法については、釣り針（１００Ａ）、（１０２Ａ）及び図３の釣り針における記載をそのまま適用することができる。
【００３６】
更に、他の本考案の釣り針（１０６）、（１０７）の場合も、少なくとも、基体の表面に設けられた金属薄膜（３）、及びこの金属薄膜（３）の表面に設けられたガラスコーティング層又は透光性を有する樹脂層（４）により形成された鏡面を備える形態とすることができる［図１２の釣り針（１０８）、図１３の釣り針（１０９）参照］。この場合、ガラスからなる基体の表面のみに鏡面が形成された釣り針（１０８）、及び全表面に鏡面が形成された釣り針（１０９）のいずれであってもよい。針先部（１５）は、餌により覆われてしまうことが多く、この部分のみ鏡面が形成されていなくても特に問題にはならない。更に、金属製の針先部（１５）がそのまま露出しておれば、餌が取り付け易いという利点もある。
【００３７】
他の本考案の釣り針のうちの釣り針（１０８）、（１０９）においても、ガラスコーティング層又は樹脂層（４）の、胴部（１２）に対応する部位の表面に、発光体皮膜（６１）を形成することができる。この発光体皮膜（６１）の材質、形成方法については、釣り針（１００Ａ）、（１０２Ａ）における記載をそのまま適用することができる。また、釣り針（１０８）、（１０９）において、金属薄膜（３）の材質、形成方法、及び厚さ等については、前述の本考案の釣り針（１０４）、（１０５）における記載をそのまま適用することができる。また、ガラスコーティング層（４）を設ける方法、及び透光性を有する樹脂層（４）を設ける方法、樹脂の材質、透光性、並びにガラスコーティング層（４）及び透光性を有する樹脂層（４）の各々の厚さ等についても、前述の本考案の釣り針（１０４）、（１０５）における記載をそのまま適用することができる。
【００３８】
以上、詳述した釣り針（１００）〜（１０９）では基体はガラスである。そのため、腰曲げ部（１３）及び先曲げ部（１４）の各々の断面積を、胴部（１２）の断面積の１．５〜３．０倍、特に２．０〜３．０倍として、強度が大きくて変形し難く、円弧状部への応力集中を避けるようにした釣り針［図１４の釣り針（１１０）参照］とすることもできる。腰曲げ部（１３）及び先曲げ部（１４）の各々の断面積を、胴部（１２）の断面積の３．０倍を超えて大きくしてもよいが、その場合、腰曲げ部（１３）及び先曲げ部（１４）は強化されるものの、近接する箇所では却って折損等し易くなることもある。尚、このような断面積の設定は、更に他の本考案の釣り針のように、基体が金属製であるときは必要ない。また、餌への食いつき方、引きの仕方等の相違もあるため、魚類の種類によっては、基体がガラス製であっても、上述のような断面積の設定は特に必要としないこともある。
【００３９】
更に、鏡面が形成された釣り針（１０４）、（１０５）、（１０８）及び（１０９）では、横断面は略円形とすることができる（図９のＡ−Ａ断面である図１５参照）。また、胴部（１２）、腰曲げ部（１３）及び先曲げ部（１４）の各々の側面（ｓ）が平坦面である形態とすることもできる（図９のＡ−Ａ断面である図１６参照）。これにより、強度が大きくなり、変形し難い釣り針とすることができる。また、側面（ｓ）が平坦面であれば、側面（ｓ）を指で挟持して、容易に餌を取り付けることができる。また、魚類が平坦面側から見たとき、背景等が少しは多く見えるようになるかもしれない。しかし、釣り針が異物として明瞭に見えるほどではなく、釣果が落ちることもない。この場合、針先部（１５）の側面（ｓ）も同様に平坦面であってもよく、平坦面でなくてもよく、いずれにしても釣果等に特に影響はない。
【００４０】
釣り針（１０４）、（１０５）、（１０８）及び（１０９）では、胴部（１２）、腰曲げ部（１３）及び先曲げ部（１４）の各々の背面（ｂ）及び腹面（ｉ）が平坦面である形態とすることもできる（図９のＡ−Ａ断面である図１７参照）。この場合も、魚類が平坦面側から見たとき、背景等が少しは多く見えるようになるかもしれないが、釣り針が異物として明瞭に見えるほどではなく、釣果が落ちることもない。更に、この形態では、特にかえし（１６）を有しているときは、針先部（１５）は、通常、平坦面とはせず、通常の形状のままとすることが好ましい。
【００４１】
また、特に深さが２００ｍ以上の深海での釣りでは、仕掛けには、通常、発光器が取り付けられる。この場合、腰曲げ部（１３）及び先曲げ部（１４）の各々の側面（ｓ）、又は腰曲げ部（１３）及び先曲げ部（１４）の各々の背面（ｂ）及び腹面（ｉ）を平坦面とすることで、発光器からの光が平坦面で反射し、暗い深海であるため魚類が興味を懐き、集魚することができる。特に、腰曲げ部（１３）及び先曲げ部（１４）の各々の側面（ｓ）を平坦面とすることで、光がより反射され易く、より集魚することができる。更に、光に興味は懐くものの、全体として釣り針とは視認し難く、釣果を高めることもできる。
【００４２】
釣り針（１００）〜（１１０）では基体はガラス製であるが、更に他の本考案の釣り針のように、基体は従来のように金属製とし、この金属製の基体の表面に鏡面を形成した形態とすることもできる［図１８の釣り針（１１１）、図１９の釣り針（１１２）参照］。即ち、チモト（１１）から針先部（１５）までの全長さに亘って金属製である基体と、基体の、少なくとも胴部（１２）、腰曲げ部（１３）及び先曲げ部（１４）の各々の表面に設けられた金属薄膜（３）と、金属薄膜（３）の表面に設けられたガラスコーティング層又は透光性を有する樹脂層（４）と、を備える釣り針（１１１）、（１１２）とすることができる。
【００４３】
基体を構成する金属は特に限定されず、従来の釣り針と同様に、高炭素鋼、ステンレス鋼等の強度の大きい金属を用いることができる。また、金属を用いてなる基体は、例えば、線材を切断し、一方の先端を尖頭させ、尖頭側のかえし（１６）（設けないこともある）及び他方側のチモト（１１）を形成するとともに、全体を釣り針形状に整型し、その後、焼入と焼戻とをし、次いで、表面を研磨し、研磨面にめっき又は焼付塗装を施して作製することができる。その後、基体の、少なくとも胴部（１２）、腰曲げ部（１３）及び先曲げ部（１４）の各々の表面に、金属薄膜（３）と、ガラスコーティング層又は透光性を有する樹脂層（４）とを設ける。尚、釣り針（１１１）、（１１２）では、鏡面が形成されるため、めっき又は焼付塗装は施されない。
【００４４】
また、釣り針（１１１）、（１１２）でも、ガラスコーティング層又は樹脂層（４）の、胴部（１２）に対応する部位の表面に、発光体皮膜（６１）を形成することができ、これにより同様の作用効果が奏される。この発光体皮膜（６１）の材質、形成方法については、釣り針（１００Ａ）、（１０２Ａ）における記載をそのまま適用することができる。  
【００４５】
更に他の本考案の釣り針（１１１）、（１１２）において、金属薄膜（３）の材質、形成方法、及び厚さ等については、前述の本考案の釣り針（１０４）、（１０５）における記載をそのまま適用することができる。また、ガラスコーティング層（４）を設ける方法、並びに透光性を有する樹脂層（４）を設ける方法、樹脂の材質、透光性、及び厚さ等についても、前述の本考案の釣り針（１０４）、（１０５）における記載をそのまま適用することができる。
【００４６】
また、更に他の本考案の釣り針（１１１）、（１１２）では、横断面は略円形とすることができる（図１９のＢ−Ｂ断面である図２０参照）。更に、胴部（１２）、腰曲げ部（１３）及び先曲げ部（１４）の各々の側面（ｓ）が平坦面である形態とすることができる（図１９のＢ−Ｂ断面である図２１参照）。このように側面（ｓ）が平坦面であれば、強度が大きくなり、変形し難い釣り針とすることができるという、本考案の釣り針（１０４）、（１０５）、及び他の本考案の釣り針（１０８）、（１０９）の場合と同様の作用効果が奏される。また、針先部（１５）の側面も同様に平坦面であってもよく、平坦面でなくてもよいことについても同様である。
【００４７】
また、更に他の本考案の釣り針（１１１）、（１１２）では、胴部（１２）、腰曲げ部（１３）及び先曲げ部（１４）の各々の背面（ｂ）及び腹面（ｉ）が平坦面である形態とすることもできる（図１９のＢ−Ｂ断面である図２２参照）。このように背面（ｂ）及び腹面（ｉ）が平坦面であれば、本考案の釣り針（１０４）、（１０５）、及び他の本考案の釣り針（１０８）及び（１０９）の場合と同様の作用効果が奏される。更に、この形態では、特にかえし（１６）を有しているときは、針先部（１５）は、通常、平坦面とはせず、通常の形状のままとすることが好ましい点についても同様である。
【産業上の利用可能性】
【００４８】
本考案は釣り針の分野において利用することができる。特に、魚類から見えない、又は少なくとも見え難く、釣果を高めることができる釣り針の分野において利用することができる。
【符号の説明】
【００４９】
１００〜１１２、１００Ａ、１０２Ａ；釣り針、１１；チモト、１２；胴部、１３；腰曲げ部、１４；先曲げ部、１５；針先部、１６；かえし、２；棒状又は線状の金属製強化材、３；金属薄膜、４；ガラスコーティング層又は樹脂層、５；金属を用いてなる基体、６１；発光体皮膜、６２；発光体、ｓ；胴部、腰曲げ部及び先曲げ部の各々の側面、ｂ；胴部、腰曲げ部及び先曲げ部の各々の背面、ｉ；胴部、腰曲げ部及び先曲げ部の各々の腹面。
【図１】
0003186779.tif 000003
【図２】
0003186779.tif 000004
【図３】
0003186779.tif 000005
【図４】
0003186779.tif 000006
【図５】
0003186779.tif 000007
【図６】
0003186779.tif 000008
【図７】
0003186779.tif 000009
【図８】
0003186779.tif 000010
【図９】
0003186779.tif 000011
【図１０】
0003186779.tif 000012
【図１１】
0003186779.tif 000013
【図１２】
0003186779.tif 000014
【図１３】
0003186779.tif 000015
【図１４】
0003186779.tif 000016
【図１５】
0003186779.tif 000017
【図１６】
0003186779.tif 000018
【図１７】
0003186779.tif 000019
【図１８】
0003186779.tif 000020
【図１９】
0003186779.tif 000021
【図２０】
0003186779.tif 000022
【図２１】
0003186779.tif 000023
【図２２】
0003186779.tif 000024